(57)【要約】【課題】受信予約情報の取得に伴う起動回数を低減する放送波受信装置を提供すること。【解決手段】放送波１１６や通信回線を経由して番組情報を取得する番組情報取得部と、前記番組情報取得部が取得した番組情報から番組開始時刻を抽出する番組開始時刻抽出部と、前記番組開始時刻抽出から取得した番組開始時刻を元に、放送波受信装置が起動する起動時刻を決定する起動時刻決定部と、前記起動時刻決定部が決定した起動時刻に放送波受信装置を起動させる起動部とを備え、放送波受信装置は、決定した起動時刻に基づいて、番組開始時刻の直前に起動して受信予約情報を取得する。【選択図】図３
2011010166.tif 000002
【特許請求の範囲】
【請求項１】
受信予約情報を外部から取得し、前記取得した受信予約情報に基づいて対象の番組の受信を行う放送波受信装置であって、
開始指示を取得したタイミングで、番組情報を取得し、取得した番組情報を記憶する番組情報取得手段と、
前記番組情報取得手段が取得した番組情報を読み込み、前記読み込んだ番組情報に基づいて、番組開始時刻を抽出する番組開始時刻抽出手段と、
前記番組開始時刻抽出手段が抽出した番組開始時刻を元に、起動時刻を決定する起動時刻決定手段と、
前記起動時刻決定手段が決定した起動時刻に、放送波受信装置を起動する起動手段を備え、
前記起動手段により起動した際に、前記受信予約情報を取得することを特徴とする放送波受信装置。
【請求項２】
前記番組情報取得部が取得した番組情報を読み込み、前記読み込んだ番組情報から、特定のチャンネルの番組情報を限定して抽出するチャンネル限定手段を備え、
前記番組開始時刻抽出手段は、前記チャネル限定手段が限定して抽出した番組情報に基づいて、番組開始時刻を抽出することを特徴とする請求項１記載の放送波受信装置。
【請求項３】
前記番組開始時刻抽出手段が抽出した番組開始時刻に対し、所定の一定時間間隔内に複数の番組開始時刻が含まれる場合、前記所定の一定時間間隔内に含まれる前記複数の番組開始時刻から１つの番組開始時刻を選択し、選択しなかった番組開始時刻を削除する番組開始時刻削除手段を備え、
前記起動時刻決定手段は、前記番組開始時刻削除手段が削除しなかった番組開始時刻を元に、起動時刻を決定することを特徴とする請求項１記載の放送波受信装置。
【請求項４】
前記番組情報取得手段は、放送波に含まれる番組情報を取得することを特徴とする請求項１記載の放送波受信装置。
【請求項５】
前記番組情報取得手段は、通信回線に接続された端末から番組情報を取得することを特徴とする請求項１記載の放送波受信装置。
【請求項６】
前記起動時刻決定手段は、前記番組開始時刻抽出手段が抽出した番組開始時刻を基準として、所定の時間を増減した時刻を起動時刻と決定することを特徴とする請求項１記載の放送波受信装置。
【請求項７】
前記所定の時間は、放送波受信装置の起動に要する時間であることを特徴とする請求項６記載の放送波受信装置。
【発明の詳細な説明】
【技術分野】
【０００１】
本発明は、放送波受信装置の省電力技術に関するものであり、特に通信回線を経由して遠隔操作端末から録画予約情報や視聴予約情報を受け付ける放送波受信装置に対して実施される、省電力技術に関するものである。
【背景技術】
【０００２】
放送波受信装置には、その放送波に含まれる情報を記録する機能を有するものが存在する。例えば、ハードディスクレコーダに代表される放送波受信装置は、受信したテレビ放送波に含まれる映像や音声を内部の記憶媒体に記録する機能が備えている。さらに、放送波受信装置には、番組の録画予約を行う機能が備わっている。
【０００３】
ユーザは、放送波受信装置の近傍でリモコンを操作し、予約したい番組のチャンネルや日時、開始時刻や終了時刻といった録画予約情報を放送波受信装置に指示する。放送波受信装置は、指示された録画予約情報に従って、対象の番組を録画する。その後、ユーザは、録画された番組を視聴することが可能となる。録画予約機能は、番組が放送される時間にユーザが放送波受信装置の近傍にいないときでも、ユーザが番組を視聴できるといった利点を有しており、録画予約機能は広く使用されている。
【０００４】
しかしながら、ユーザが放送波受信装置の近傍で録画予約を行うような従来の録画予約方法では、ユーザが録画機会を損失することがある。
【０００５】
例えば、ユーザが視聴を希望する番組の録画をうっかり忘れて外出してしまうことがある。また、外出先でユーザが視聴したい番組情報を新たに入手することがある。この場合は、ユーザはその番組の開始時刻までに放送波受信装置の近傍に移動できず、また、録画予約を行えないため、番組を見逃してしまうことがあった。
【０００６】
このような録画機会の損失を解消するために、外出先などの遠隔地からの録画予約を可能とするシステムが従来から用いられている（例えば、特許文献１、特許文献２参照）。
【０００７】
従来の遠隔録画予約システムにおいて、ユーザは遠隔操作端末を操作し、希望する番組が放送されるチャンネル番号、録画開始時間、録画終了時間等の録画予約情報を、番組情報サーバに通知する。
【０００８】
次に、放送波受信装置は、所定の時間間隔ごとに番組情報サーバにアクセスして、新たな録画予約情報が番組情報サーバに通知されているか確認し、もし通知されている場合は録画予約情報を番組情報サーバから取得する。
【０００９】
その後、放送波受信装置は、番組情報サーバから取得した録画予約情報に指定された時刻に指定された番組を録画する。
【先行技術文献】
【特許文献】
【００１０】
【特許文献１】特開２００２−０９４９１５号公報
【特許文献２】特開２００７−００５９６２号公報
【発明の概要】
【発明が解決しようとする課題】
【００１１】
しかしながら、前記従来の構成では、放送波受信装置が所定の時間（例えば５分）ごとに、番組情報サーバへアクセスし、番組情報サーバから録画情報を取得するといった方法が取られていた。
【００１２】
そのため、番組情報サーバにアクセスして録画情報を取得するだけといった、軽微な処理を行う場合でも、そのつど放送波受信装置を起動するための電力を消費するといった課題を有していた。
【００１３】
本発明は、前記従来の課題を解決するもので、受信予約情報の取得に伴う起動回数を低減する放送波受信装置を提供することを目的とする。
【課題を解決するための手段】
【００１４】
前記従来の課題を解決するために、本発明の放送波受信装置は、受信予約情報を外部から取得し、前記取得した受信予約情報に基づいて対象の番組の受信を行う放送波受信装置であって、開始指示を取得したタイミングで、番組情報を取得し、取得した番組情報を記憶する番組情報取得手段と、前記番組情報取得手段が取得した番組情報を読み込み、前記読み込んだ番組情報に基づいて、番組開始時刻を抽出する番組開始時刻抽出手段と、前記番組開始時刻抽出手段が抽出した番組開始時刻を元に、起動時刻を決定する起動時刻決定手段と、前記起動時刻決定手段が決定した起動時刻に、放送波受信装置を起動する起動手段を備え、前記起動手段により起動した際に、前記受信予約情報を取得することを特徴とする。
【００１５】
本構成によって、放送波受信装置が、受信予約情報を取得する際に、番組開始時刻に基づいて起動タイミングを制御し、受信予約情報の取得に伴う起動回数を低減することができる。
【発明の効果】
【００１６】
本発明にかかる放送波受信装置によれば、番組開始時刻の直前に起動して受信予約情報を取得する制御を行うことで、受信予約情報の取得に伴う起動回数を減らし、起動時に消費する電力を低減することができる。
【図面の簡単な説明】
【００１７】
【図１】本発明の実施の形態１における遠隔受信予約システムの構成を示す図
【図２】本発明の実施の形態１における放送波受信装置の構成を例示する図
【図３】本発明の実施の形態１における放送波受信装置における起動制御装置の構成を示すブロック図
【図４】本発明の実施の形態１における放送波受信装置における起動制御装置の動作のフローを示す図
【図５】本発明の実施の形態１における番組表の例を示す図
【図６】本発明の実施の形態１における開始時刻抽出部の動作のフローを示す図
【図７】本発明の実施の形態１における番組開始時刻リストの一例を示す図
【図８】本発明の実施の形態１における起動時刻リストの一例を示す図
【図９】本発明の実施の形態１における受信予約情報の一例を示す図
【図１０】本発明の実施の形態１における遠隔受信予約システムの動作のフローを示す図
【図１１】本発明の実施の形態２における放送波受信装置の起動制御装置の構成を示すブロック図
【図１２】本発明の実施の形態２における放送波受信装置における起動制御装置の動作のフローを示す図
【図１３】本発明の実施の形態２における番組表の一例を示す図
【図１４】本発明の実施の形態３における放送波受信装置における起動制御装置の構成を示すブロック図
【図１５】本発明の実施の形態３における放送波受信装置の起動制御装置の動作のフローを示す図
【図１６】本発明の実施の形態３における番組表の一例を示す図
【図１７】本発明の実施の形態３における番組開始時刻リストの一例を示す図
【発明を実施するための形態】
【００１８】
以下本発明の実施の形態について、図面を参照しながら説明する。
【００１９】
（実施の形態１）
図１は、本発明の実施の形態にかかる放送波受信装置を含む遠隔受信予約システムの構成を示す図である。
【００２０】
遠隔受信予約システム１００は、放送波受信装置１１１と番組情報サーバ１１２と遠隔予約端末１１３を備え、それぞれはネットワーク１１４を介して接続されている。また、放送局１１５が、放送波１１６を送出している。
【００２１】
放送波受信装置１１１は、放送局１１５から送出される放送波１１６を受信する。放送波受信装置１１１は、受信した放送波１１６を復号して表示する機能を有していてもよい。また、放送波受信装置１１１は、受信した放送波や、受信した放送波を復号したデータを、放送波受信装置１１１の内部に格納された記憶媒体に記録する機能を有していてもよい。
【００２２】
番組情報サーバ１１２は、典型的にはコンピュータで構成される。番組情報サーバ１１２は、受信した受信予約情報を蓄積し、放送波受信装置１１１からのアクセスを受けて、蓄積している受信予約情報を送信する機能を有している。番組情報サーバ１１２は、放送波受信装置１１１を製造する業者によってサービスとして提供されてもよいし、その他の業者によって提供されていてもかまわない。
【００２３】
遠隔操作端末１１３は、受信予約情報を番組情報サーバ１１２へ送信する機能を有する端末装置である。遠隔操作端末１１３から送信された受信予約情報は、番組情報サーバ１１２に蓄積される。
【００２４】
遠隔操作端末１１３は、一例として、携帯電話が挙げられる。なお、遠隔操作端末１１３は、携帯電話以外でもかまわない。例えば、ネットワークに接続された、ノートパソコンやデスクトップパソコン、ＰＤＡやゲーム機やテレビでもよい。
【００２５】
ネットワーク１１４は、典型的な例としてインターネットが用いられる。なお、ネットワーク１１４は、インターネット以外の専用回線であってもよく、電話回線や宅内ＬＡＮで構成されていてもよい。
【００２６】
放送波１１６は具体的には、地上デジタル放送やＢＳ（ＢｒｏａｄｃａｓｔｉｎｇＳａｔｅｌｌｉｔｅ）デジタル放送がある。なお、これに限らず、放送波１１６は、地上アナログ放送、ＣＳ（Ｃｏｍｍｕｎｉｃａｔｉｏｎ  Ｓａｔｅｌｌｉｔｅ）デジタル放送であってもよい。
【００２７】
上記構成によって、遠隔受信予約システム１００は、次の手順で番組の受信予約を行う。
【００２８】
まず、遠隔操作端末１１３は、視聴したい番組に関する受信予約情報を番組情報サーバ１１２へ送信する。番組情報サーバ１１２は、遠隔操作端末１１３から送信された受信予約情報を受信し、蓄積する。その後、放送波受信装置１１１が、番組情報サーバ１１２へアクセスし、番組情報サーバ１１２に蓄積された受信予約情報を取得し、受信予約情報に記述された情報に基づいて、放送波１１６の受信を行う。
【００２９】
図２は、本発明の実施の形態１にかかる放送波受信装置１１１のハードウェア構成の一例を示す。
【００３０】
放送波受信装置１１１は、表示器２０４、ネットワーク通信器２１０、ＣＰＵ２１２ａ、入力インタフェース２１４、テレビアンテナ２１６、ＯＳＤ（Ｏｎ  Ｓｃｒｅｅｎ  Ｄａｔａ）生成器２２７、ユーザ入力器２４０、デコード装置２５０、記録器２５１を備えている。
【００３１】
デコード装置２５０は、チューナ・復調器２３１、トランスポートストリームデコーダ（以下、「ＴＳデコーダ」と略称する）２３２、ＭＰＥＧ（Ｍｏｖｉｎｇ  Ｐｉｃｔｕｒｅ  Ｅｘｐｅｒｔｓ  Ｇｒｏｕｐ）デコーダ２３３、および合成器２３４を含む。そして、記録器２５１は、ＲＡＭ２３５、フラッシュメモリ２３６、ハードディスクドライブ（以下、「ＨＤＤ」と略称する）２３７、光ディスク読み書き装置２３８、およびＩＣカードドライブ２３９を含む。
【００３２】
テレビアンテナ２１６を介して受信された、放送局から送出された放送波は、デコード装置２５０に入力される。
【００３３】
デコード装置２５０に入力されたデジタル放送波は、まずチューナ・復調器２３１によって、トランスポートストリーム（以下、「ＴＳ」と略称する）に変換される。
【００３４】
そして、ＴＳデコーダ２３２は、チューナ・復調部２３１から出力されたＴＳをデコードして、映像／音声ストリームと番組情報を抽出して出力する。
【００３５】
ＭＰＥＧデコーダ２３３はＴＳデコーダ２３２から出力される映像／音声ストリームをＭＰＥＧデコードして、映像／音声信号を生成する。
【００３６】
さらに、ＴＳデコーダ２３２から出力される番組情報は、ＣＰＵ２１２ａによってデコードされて、ＥＰＧデータが生成される。
【００３７】
ＣＰＵ２１２ａで生成されたＥＰＧは、ＯＳＤ生成器２２７によって、オンスクリーン表示データに変換される。
【００３８】
そして、このオンスクリーン表示データは、合成器２３４でＭＰＥＧデコーダ２３３から出力される映像／音声ストリームと合成されて、表示信号として出力される。
【００３９】
表示器２０４は、表示信号に基づいて、受信したデジタル放送によって配信された映像音声にオンスクリーン表示を付加して、ユーザに対して提示する。
【００４０】
放送波受信装置１１１において、フラッシュメモリ２３６はＣＰＵ２１２ａを動作させるためのプログラムを格納している。
【００４１】
そして、ＲＡＭ２３５は、ＣＰＵ２１２ａが動作する際に主記憶メモリとして利用される。
【００４２】
ＨＤＤ２３７と光ディスク読み書き装置２３８は、放送波を録画するための記憶媒体として用いられる。
【００４３】
ＩＣカードドライブ２３９は、課金用に使用されるＢ−ＣＡＳ（登録商標）（ＢＳ−Ｃｏｎｄｉｔｉｏｎａｌ  Ａｃｃｅｓｓ  Ｓｙｓｔｅｍｓ  Ｃａｒｄ）カードに対して読み書きを行う。
【００４４】
そして、ネットワーク通信器２１０は、放送波受信装置１１１をネットワークに接続すると共に、ネットワークに接続されている番組情報サーバから、受信予約情報を取得する。
【００４５】
なお、放送波受信装置１１１を構成するハードウェアは、その一部が付加または除去されていてもよい。
【００４６】
例えば、放送波受信装置１１１から表示機２０４を取り除いたものは、ハードディスクレコーダという呼称で一般的に広く知られている。
【００４７】
また、光ディスク読み書き装置が読み書き可能なディスクの種類によっては、ＤＶＤ（Ｄｉｇｉｔａｌ  Ｖｅｒｓａｔｉｌｅ  Ｄｉｓｋ）（登録商標）レコーダ、ＢＤ（Ｂｌｕ−ｒａｙ（登録商標）  Ｄｉｓｋ）レコーダという別の呼称が用いられることもある。
【００４８】
なお、放送波受信装置１１１からハードディスクドライブ２３７と光ディスク読み書き装置２３８を取り除いたものは、一般的にはテレビと呼ばれている。
【００４９】
また、放送波受信装置１１１からハードディスクドライブ２３７と光ディスク読み書き装置２３８と表示機２０４を取り除いたものは、一般的にはテレビチューナと呼ばれている。
【００５０】
本発明にかかる放送波受信装置１１１の起動制御装置は、放送波受信装置１１１により解釈実行されるコンピュータプログラムの形で実装されている。
【００５１】
コンピュータプログラムは、フラッシュメモリ２３６等の記憶媒体の中に格納されており、実行前にＲＡＭ２３５へ展開されて、ＣＰＵ２１２ａがＲＡＭ２３５へ展開されたプログラムを実行する。
【００５２】
なお、これに限らず、コンピュータプログラムは、ＨＤＤ２３７に格納されていてもよいし、ネットワーク通信機２１０経由で放送波受信装置１１１の外部から供給されてもよい。
【００５３】
また、コンピュータプログラムは、ＲＡＭ２３５へ展開されずに、フラッシュメモリ２３６等から直接実行されることもありうる。
【００５４】
図３は、本発明にかかる放送波受信装置１１１の起動制御装置３００の構成を示すブロック図である。
【００５５】
本発明にかかる放送波受信装置１１１の起動制御装置３００は、番組情報取得開始指示部３０１と、番組情報取得部３０２と、番組情報記憶部３０３と、番組開始時刻抽出部３０４と、番組開始時刻記憶部３０５と、起動時刻決定部３０６と、起動時刻記憶部３０７と、起動部３０８とを備えている。
【００５６】
番組情報取得開始指示部３０１は、番組情報取得部３０２に対し、所定のタイミングで開始指示を出力する。
【００５７】
番組情報取得部３０２は、番組情報取得開始指示部３０１から開始指示を取得したタイミングで、放送波１１６や通信回線を経由して番組情報を取得する。番組情報取得部３０２は、取得した番組情報を番組情報記憶部３０３に格納し、番組開始時刻抽出部３０４に開始指示を出力する。
【００５８】
番組情報記憶部３０３は、番組情報取得部３０２から取得した番組情報を記憶する。
【００５９】
番組開始時刻抽出部３０４は、番組情報取得部３０２から開始指示を取得したタイミングで、番組情報記憶部３０３から番組情報を読み込み、読み込んだ番組情報から番組開始時刻を抽出する。番組開始時刻抽出部３０４は、抽出した番組開始時刻を、番組開始時刻記憶部３０５に格納し、起動時刻決定部３０６へ開始指示を出力する。
【００６０】
番組開始時刻記憶部３０５は、番組開始時刻抽出部３０４から取得した番組開始時刻を記憶する。
【００６１】
起動時刻決定部３０６は、番組開始時刻抽出部３０４から開始指示を取得したタイミングで、番組開始時刻記憶部３０５から読み込んだ番組開始時刻を元に、起動時刻を決定し、起動時刻を起動時刻記憶部３０７へ格納する。
【００６２】
起動時刻記憶部３０７は、起動時刻決定部３０６から取得した起動時刻を記憶する。
【００６３】
起動部３０８は、起動時刻記憶部３０７に格納された起動時刻に、放送波受信装置１１１を起動する。
【００６４】
図４は、起動制御装置４００の動作の一例を示すフローチャートである。
【００６５】
まず、番組情報取得開始指示部３０１は、番組情報取得部３０２に対し、所定のタイミングで開始指示を出力する（ステップＳ４０１）。
【００６６】
次に、番組情報取得部３０２は、テレビの放送波１１６を復号して、放送波１１６に含まれる番組情報である番組表を取得する。番組情報取得部３０２は、取得した番組情報を番組情報記憶部３０３に格納し、番組開始時刻抽出部３０４に開始指示を出力する（ステップＳ４０２）。
【００６７】
次に、番組開始時刻抽出部３０４は、番組情報取得部３０２から開始指示を取得したタイミングで、番組情報記憶部３０３から読み込んだ番組情報から、番組開始時刻を抽出する。番組開始時刻抽出部３０４は、抽出した番組開始時刻を、番組開始時刻記憶部３０５に格納し、起動時刻決定部３０６へ開始指示を出力する（ステップＳ４０３）。
【００６８】
そして、起動時刻決定部３０６は、番組開始時刻抽出部３０４から開始指示を取得したタイミングで、起動時刻を決定し、起動時刻を起動時刻記憶部３０７へ格納する。起動時刻決定部３０６は、番組開始時刻記憶部３０５から読み込んだ番組開始時刻と、放送波受信装置１１１の起動所要時間を用いて、起動時刻を決定する（ステップＳ４０４）。
【００６９】
そして、起動部３０８は、起動時刻記憶部３０７から読み込んだ起動時刻に、放送波受信装置１１１を起動する（ステップＳ４０５）。
【００７０】
なお、ステップＳ４０１における、番組情報取得開始指示部３０１が番組情報取得部３０２に対して開始指示を出力する、所定のタイミングは、例えば、"毎日午前０時"など、毎日決まった時刻とできる。また、所定のタイミングは、他にも、"１時間に１回"など一定間隔や、"起動制御装置３００が組み込まれた機器をユーザが起動したタイミング"なども可能である。
【００７１】
なお、ステップＳ４０２で用いられる番組情報は、番組を特定できる情報であり、好ましくは、各番組の識別情報、各番組の開始時刻およびチャンネルを特定する情報を含む。
【００７２】
このような、番組情報の一例としては、ＥＰＧ（Ｅｌｅｃｔｒｏｎｉｃｓ  Ｐｒｏｇｒａｍ  Ｇｕｉｄｅ）と呼ばれる番組表がある。
【００７３】
なお、番組表は、ＥＰＧのように放送波１１６に含まれた形で供給されることが一般的であるが、出版物等やインターネット経由で供給される情報に基づいて、ユーザが適当な手段を用いて電子データとして生成したものでもよい。
【００７４】
図５は、番組表の一例を示している。
【００７５】
番組表５００は、放送局名５０１、チャンネル５０２、番組識別情報５０３を情報として含む。番組識別情報５０３は時間帯別に、少なくとも１以上の行で構成され、番組開始時刻５０４、番組名５０５が含まれる。
【００７６】
なお、番組識別情報５０３には、その他の付属情報が含まれることがある。
【００７７】
付属情報の例として、音声に関する情報（ステレオか、モノラルか、５．１チャンネルか）や、字幕付であることを示す情報、画面の解像度に関する情報や、再放送であることを示す情報などが挙げられる。
【００７８】
番組表５００から、例えば、Ｄ放送（ＢＳデジタル１４１チャンネル）の１０時台の番組は、１０時００分に開始して１０時３０分に終了する「演歌アワー」と、１０時３０分に開始して１１時００分に終了する「料理教室」であることが分かる。
【００７９】
図６は、前述した図４ステップＳ４０３における、番組表５００から番組開始時刻を抽出するためのアルゴリズムの一例を示している。
【００８０】
まず、番組開始時刻抽出部３０４は、番組情報から放送波受信装置１１１が受信可能なチャンネルにおける番組開始時刻を抽出する（ステップＳ６１１）。
【００８１】
次に、番組開始時刻抽出部３０４は、チャンネル別の番組開始時刻リスト５００に含まれている番組開始時刻をマージして、全チャンネル分の番組開始時刻リストを作成する（ステップＳ６１２）。
【００８２】
ステップＳ６１１で抽出されたチャンネル別番組開始時刻リスト５００の例を、図７に示している。
【００８３】
チャンネル別番組開始時刻リスト７００は、番組表から抽出された番組開始時刻のリストであり、番組チャンネル７０１別に、番組開始時刻７０２が情報として含まれる。
【００８４】
なお、ステップＳ４０４において、起動時刻を決定するにあたり、放送波受信装置１１１の起動所要時間を加味することが好ましい。
【００８５】
起動所要時間とは、放送波受信装置１１１に電源が投入されてから、放送波受信装置１１１が放送波１１６を受信することが可能になるまでに要する時間のことである。
【００８６】
放送波受信装置１１１の起動所要時間は数秒から数分にわたることが一般的である。
【００８７】
そのため、ステップＳ４０４において、放送波受信装置１１１の起動時刻を番組開始時刻から起動所要時間を差し引いた時刻に設定しておくことが好ましい。
【００８８】
例えば、起動所要時間が２分の場合は、起動時刻は番組開始時刻よりも２分前にしておくことが好ましい。なお、起動時刻は、これに限らず、余裕を見て番組開始時刻の２分以上前に設定してもよい。
【００８９】
図８は、起動時刻決定部３０６が生成し、起動時刻記憶部３０７に格納される起動時刻のリストの一例を示している。
【００９０】
起動時刻リスト８００には、番組開始時刻抽出部３０４が抽出した番組開始時刻８０１と、それを元に起動時刻決定部３０６によって決定された放送波受信装置１１１の起動時刻７０２が含まれる。
【００９１】
起動時刻８０２は、前述したように起動所要時間を加味して番組開始時刻８０１よりも２分早く設定されている。
【００９２】
なお、起動部３０８は、現在時刻と起動時刻８０２を比較し、現在時刻が起動時刻８０２に達したタイミングで、放送波受信装置１１１を起動する。
【００９３】
なお、起動状態でないときは起動部３０８であるタイママイコンとその周辺回路以外には通電しないようにしておくと、省電力効果を発揮しやすいので好ましい。
【００９４】
図９は、受信予約機能によって用いられる受信予約情報の一例を示している。
【００９５】
受信予約情報９００には、一般的には、日付９０１、受信開始時刻９０２、受信終了時刻９０３、チャンネル９０４が含まれる。
【００９６】
なお、これに限らず、受信予約情報９００には他の情報が含まれていてもよい。
【００９７】
例えば、受信予約情報９００が録画予約情報として用いられる場合には、受信予約情報９００に圧縮率や使用するコーデックを識別する録画モードが含まれていてもよい。
【００９８】
また、例えば毎週もしくは毎日録画するといった繰り返し録画に関する情報が、受信予約情報９００に含まれていてもよい。また、受信終了時刻９０３の代わりの情報として受信時間の長さが、受信予約情報９００に含まれる情報として用いられていてもよい。
【００９９】
図１０は、遠隔受信予約システム１００の受信予約動作の一例を示している。遠隔受信予約システム１００の遠隔操作端末１１３と、番組情報サーバ１１２と、放送波受信装置１１１が連携して動作する。
【０１００】
はじめに、遠隔操作端末１１３の動作を説明する。
【０１０１】
まず、遠隔操作端末１１３は、受信予約情報９００を作成する（ステップＳ１００１）。
【０１０２】
次に、遠隔操作端末１１３は、作成した受信予約情報を番組情報サーバ１１２へ送信する（ステップＳ１００２）。
【０１０３】
次に、番組情報サーバ１１２の動作を説明する。
【０１０４】
まず、番組情報サーバ１１２は、遠隔操作端末１１２から受信予約情報９００を受信する（ステップＳ１０１１）。
【０１０５】
次に、番組情報サーバ１１２は、受信した受信予約情報９００を記憶する（ステップＳ１０１２）。
【０１０６】
そして、番組情報サーバ１１２は、放送波受信装置１１１から、受信予約情報送信要求を受けたタイミングで、受信予約情報９００を放送波受信装置１１１へ送信する（ステップＳ１０１３）。
【０１０７】
なお、消費電力を抑えるために、放送波受信装置１１１は、通常は、電源状態は待機状態であることが好ましい。
【０１０８】
なお、起動時刻は、放送波受信装置１１１における起動制御装置３００の起動時刻決定部３０６によって、番組表から抽出した番組開始時刻と、放送波受信装置１１１の起動所要時間をもとに決定されているものとする。
【０１０９】
次に、放送波受信装置１１１の動作を説明する。
【０１１０】
まず、放送波受信装置１１１における起動制御部３００の起動部３０８は、起動時刻記憶部３０７から読み込んだ起動時刻に、放送波受信装置１１１を起動する（ステップＳ１０５１）。
【０１１１】
前述したとおり、起動時刻は、番組表５００から抽出した番組開始時刻と、放送波受信装置１１１の起動所要時間をもとに定められていることに留意されたい。
【０１１２】
次に、放送波受信装置１１１は、番組情報サーバ１１２へ、受信予約情報送信要求を送信する（ステップＳ１０５３）。
【０１１３】
そして、放送波受信装置１１１は、番組情報サーバ１１２から、受信予約情報９００を受信する（ステップＳ１０５４）。
【０１１４】
次に、放送波受信装置１１１は、番組情報サーバ１１２から受信した受信予約情報９００が更新されたかどうか判定を行う（ステップＳ１０５５）。
【０１１５】
ステップＳ１０５５での判定の結果がＹｅｓの場合は、放送波受信装置１１１は、放送波受信装置１１１の内部の記憶媒体へ受信予約情報を記憶する（ステップＳ１０５６）。
【０１１６】
ステップＳ１０５５での判定の結果がＮｏの場合は、ステップＳ１０５６の処理を行わずに、ステップＳ１０５７へ処理を移す。
【０１１７】
次に、放送波受信装置１１１は、現在時刻が受信予約情報９００に含まれる受信開始時刻９０２の直近か判定する（ステップＳ１０５７）。
【０１１８】
ステップＳ１０５７での判定の結果がＹｅｓの場合は、放送波受信装置１１１は、受信予約情報９００に従って受信処理を実行する（ステップＳ１０５８）。受信処理とは前述したとおり、録画処理の実行や視聴処理の実行のことである。
【０１１９】
ステップＳ１０５７での判定の結果がＮｏの場合は、ステップＳ１０５８の処理の行わずに、ステップＳ１０５９へ処理を移す。
【０１２０】
そして、放送波受信装置１１１は、電源状態を待機状態へ遷移させ（ステップＳ１０５９）、ステップＳ１０５１の起動前の状態へ戻る。
【０１２１】
以上により、本発明にかかる起動制御装置３００を組み込んだ放送波受信装置１１１を用いることで、消費電力を抑えつつも、受信予約の機会の損失を抑制することが可能となる。
【０１２２】
まず、消費電力を抑えることが可能となる理由は、ステップＳ４０５で放送波受信装置１１１は起動時刻に達するまで電源状態が待機状態のままとし、受信予約情報の取得に伴う起動回数を減らしているためである。つまり、所定の時間ごとに起動する従来の方式と比べて、受信予約情報の取得に伴う起動回数を削減できるので、起動時の合計消費電力を抑えることが可能となる。
【０１２３】
次に、受信予約の機会の損失を最低限に抑えることが可能となる理由は、番組開始時刻の直前を起動時刻に設定し、起動時刻に受信予約情報を取得するためである。つまり、のユーザには、遠隔操作端末１１３を操作して番組情報サーバ１１２へ受信予約情報９００を送信する処理（ステップＳ１００２）をする機会が、ユーザが受信を希望する番組が開始する直前まで与えられる。
【０１２４】
なお、番組情報サーバ１１２と遠隔操作端末１１３は、互いに離間するような環境において効果を発揮する。
【０１２５】
なお、これに限らず、番組情報サーバ１１２と遠隔操作端末１１３は互いに近接していてもよいし、遠隔操作端末１１３の構成要素の一部または全部が番組情報サーバ１１２に包含されていてもよい。
【０１２６】
（実施の形態２）
図１１は、本発明の実施の形態２にかかる放送波受信装置１１１の起動制御装置１１００の構成を示すブロック図である。
【０１２７】
実施の形態２は、実施の形態１の起動制御装置３００に、チャンネル限定部１１１１と、限定番組情報記憶部１１１２と、第２の番組開始時刻抽出部１１１３を付加し、番組開始時刻抽出部３０４を除去したものである。
【０１２８】
なお、図１１のブロック図に含まれる構成要素のうち、実施の形態１と同じ構成要素については、図３と同じものを使用し、説明を省略する。
【０１２９】
本発明の実施の形態２にかかる起動制御装置１１００は、番組情報取得開始指示部３０１と、番組情報取得部３０２と、番組情報記憶部３０３と、番組開始時刻記憶部３０５と、起動時刻決定部３０６と、起動時刻記憶部３０７と、起動部３０８と、チャンネル限定部１１１１と、限定番組情報記憶部１１１２と、第２の番組開始時刻抽出部１１１３を備えている。
【０１３０】
チャンネル限定部１１１１は、番組情報記憶部３０３から、番組情報を読み込み、あらかじめ指定されたチャンネルの番組情報を限定して抽出する。
【０１３１】
限定番組情報記憶部１１１２は、チャンネル限定部１１１１が抽出した番組情報を記憶する。
【０１３２】
第２の番組開始時刻抽出部１１１３は、限定番組情報記憶部１１１２から読み込んだ番組情報から、番組開始時刻を抽出し、抽出した番組開始時刻を、番組開始時刻記憶部３０５に格納する。
【０１３３】
図１２は、起動制御装置３００の動作の一例を示すフローチャートである。
【０１３４】
まず、番組情報取得開始指示部３０１は、番組情報取得部３０２に対し、所定のタイミングで開始指示を出力する（ステップＳ１２１１）。
【０１３５】
次に、番組情報取得部３０２は、テレビの放送波１１６を復号して、放送波１１６に含まれる番組情報である番組表を取得する。番組情報取得部３０２は、番組情報を番組情報記憶部３０３に番組情報を格納し、チャンネル限定部１１１１に開始指示を出力する（ステップＳ１２１２）。
【０１３６】
次に、チャンネル限定部１１１１は、番組情報取得部３０２から開始指示を取得したタイミングで、番組情報記憶部３０３から番組情報を読み込み、読み込んだ番組情報から、あらかじめ指定されたチャンネルの番組情報を限定して抽出する。チャンネル限定部１１１１は、限定して抽出された番組情報（切り出された番組情報）を、限定番組情報記憶部１１１２に格納し、第２の番組開始時刻抽出部１１１３へ開始指示を出力する（ステップＳ１２１３）。
【０１３７】
次に、第２の番組開始時刻抽出部１１１３は、チャンネル限定部１１１１から開始指示を取得したタイミングで、限定番組情報記憶部１１１２から番組情報を読み込み、読み込んだ番組情報から番組開始時刻を抽出する。第２の番組開始時刻抽出部１１１３は、抽出した番組開始時刻を、番組開始時刻記憶部３０５に格納し、起動時刻決定部３０６へ開始指示を出力する（ステップＳ１２１４）。
【０１３８】
そして、起動時刻決定部３０６は、第２の番組開始時刻抽出部１１１３から開始指示を取得したタイミングで、起動時刻を決定し、起動時刻を起動時刻記憶部３０７へ格納する。起動時刻決定部３０６は、番組開始時刻記憶部３０５から読み込んだ番組開始時刻と、録画機器の起動所要時間を用いて、起動時刻を決定する（ステップＳ１２１５）。
【０１３９】
そして、起動部３０８は、起動時刻記憶部３０７から読み込んだ起動時刻に、放送波受信装置１１１を起動する（ステップＳ１２１６）。
【０１４０】
なお、ステップＳ１２１３において、例えば、あらかじめ指定されたチャンネルが、ＢＳ放送のチャンネルの場合、切り出された番組情報は、図１３中の破線で囲まれた部分１３０１となる。
【０１４１】
なお、ステップＳ１２１３で指定されたチャンネルの例として"ＢＳ放送のチャンネル"を例に取ったが、これに限らず、単一もしくは複数のチャンネルを個別に指定してもよい。
【０１４２】
例えば、ステップＳ１２１３で指定されたチャンネルは、地上デジタル放送の０１１チャンネルのみと指定してもよいし、地上デジタル放送の０１１チャンネルと０２１チャンネルの複数のチャンネルを指定してもよい。
【０１４３】
また、チャンネルにそのほかの属性が付随している場合には、その属性を元にチャンネルを指定してもよい。
【０１４４】
属性の例としては、無料チャンネルや有料チャンネルといった課金に関する属性や、スポーツ専門チャンネルや映画専門チャンネルなどといった放送するコンテンツの属性などが挙げられる。
【０１４５】
以上により、放送波受信装置が、番組開始時刻の直前に起動して受信予約情報を取得する制御を行うことで、受信予約情報の取得に伴う起動回数を減らし、起動時に消費する電力を低減することができる。特に、実施の形態２では、チャンネル限定部１１１１を設けることで、起動時刻を決定する際に番組開始時刻を用いる対象のチャンネルを限定することができる。これにより、放送波受信装置は、受信予約情報の取得に伴う起動回数をより少なくすることが可能となり、省電力効果を高める効果を奏する。
【０１４６】
（実施の形態３）
図１４は、本発明の実施の形態３にかかる放送波受信装置１１１の起動制御装置１４００の構成を示すブロック図である。
【０１４７】
実施の形態３は、実施の形態１の起動制御装置３００に、第３の番組開始時刻抽出部１４１０と、番組開始時刻削除部１４１１と、第２の起動時刻決定部１４１２を付加し、番組開始時刻抽出部３０４と、起動時刻決定部３０６を除去したものである。
【０１４８】
なお、図１４のブロック図に含まれる構成要素のうち、実施の形態１と同じ構成要素については、図３と同じものを使用し、説明を省略する。
【０１４９】
本発明の実施の形態３にかかる起動制御装置１４００は、番組情報取得開始指示部３０１と、番組情報取得部３０２と、番組情報記憶部３０３と、第３の番組開始時刻抽出部１４１０と、番組開始時刻削除部１４１１と、番組開始時刻記憶部３０５と、第２の起動時刻決定部１４１２と、起動時刻記憶部３０７と、起動部３０８を備えている。
【０１５０】
第３の番組開始時刻抽出部１４１０は、番組情報取得部３０２から開始指示を取得したタイミングで、番組情報記憶部３０３から番組情報を読み込み、読み込んだ番組情報から、番組開始時刻を抽出する。第３の番組開始時刻抽出部１４１０は、抽出した番組開始時刻を、番組開始時刻記憶部３０５に格納し、番組開始時刻削除部１４１１へ開始指示を出力する。
【０１５１】
番組開始時刻削除部１４１１は、番組開始時刻記憶部３０５に格納された番組開始時刻から、所定の一定時間間隔内にある番組開始時刻を削除し、第２の起動時刻決定部１４１２へ開始指示を出力する。
【０１５２】
第２の起動時刻決定部１４１２は、番組開始時刻削除部１４１１から開始指示を取得したタイミングで、番組開始時刻記憶部３０５から読み込んだ番組開始時刻を元に、起動時刻を決定し、起動時刻を起動時刻記憶部３０７へ格納する。第２の起動時刻決定部１４１２は、番組開始時刻記憶部３０５から読み込んだ番組開始時刻と、録画機器の起動所要時間を用いて、起動時刻を決定する。
【０１５３】
図１５は、起動制御装置１４００の動作の一例を示すフローチャートである。
【０１５４】
まず、番組情報取得開始指示部３０１は、番組情報取得部３０２に対し、所定のタイミングで開始指示を出力する（ステップＳ１５１１）。
【０１５５】
次に、番組情報取得部３０２は、テレビの放送波１１６を復号して放送波１１６に含まれる番組情報である番組表を取得する。番組情報取得部３０２は、番組情報を番組情報記憶部３０３に番組情報を格納し、第３の番組開始時刻抽出部１４１０に開始指示を出力する（ステップＳ１５１２）。
【０１５６】
そして、第３の番組開始時刻抽出部１４１０は、番組情報取得部３０２から開始指示を取得したタイミングで、番組情報記憶部３０３から番組情報を読み込み、読み込んだ番組情報から番組開始時刻を抽出する。第３の番組開始時刻抽出部１１１３は、抽出した番組開始時刻を、番組開始時刻記憶部３０５に格納し、番組開始時刻削除部１４１１へ開始指示を出力する（ステップＳ１５１３）。
【０１５７】
次に、番組開始時刻削除部１４１１は、第３の番組開始時刻抽出部１４１０から開始指示を取得したタイミングで、番組開始時刻記憶部３０５に格納された番組開始時刻から、所定の一定時間間隔内にある番組開始時刻を削除する。その後、番組開始時刻削除部１４１１は、第２の起動時刻決定部１４１２へ開始指示を出力する（ステップＳ１５１４）。
【０１５８】
そして、第２の起動時刻決定部１４１２は、番組開始時刻削除部１４１１から開始指示を取得したタイミングで、起動時刻を決定し、起動時刻を起動時刻記憶部３０７へ格納する。第２の起動時刻決定部１４１２は、番組開始時刻記憶部３０５から読み込んだ番組開始時刻と、録画機器の起動所要時間を用いて、起動時刻を決定する（ステップＳ１５１５）。
【０１５９】
そして、起動部３０８は、起動時刻記憶部３０７から読み込んだ起動時刻に、放送波受信装置１１１を起動する（ステップＳ１５１６）。
【０１６０】
図１６は、番組表の一例を示している。
【０１６１】
番組表５００は、１１時１５分から１１時１８分の間に４つの番組の番組開始時刻が集中している。地上Ｄ０１１チャンネルの１１時１５分、地上Ｄ０２１チャンネルの１１時１６分、ＢＳ１３１チャンネルの１１時１７分、ＢＳ１４１チャンネルの１１時１８分である。
【０１６２】
例えば、ステップＳ１５１４で、所定の一定時間間隔を４分とした場合、番組開始時刻削除部１４１１は、１１時１６分と１１時１７分と１１時１８分の番組開始時刻を削除し、１１時１５分の番組開始時刻を残す。図１６の番組表から削除処理することで、図１７に示した削除された番組開始時刻１７０２と、その結果の番組開始時刻リスト７０３となる。
【０１６３】
以上により、放送波受信装置が、番組開始時刻の直前に起動して受信予約情報を取得する制御を行うことで、受信予約情報の取得に伴う起動回数を減らし、起動時に消費する電力を低減することができる。特に、実施の形３では、所定の一定時間間隔内に起動する番組開始時刻の一部を間引くことで、短い時間間隔で放送波受信装置１１１の起動を頻発させることを防ぐことができる。これにより、放送波受信装置は、受信予約情報の取得に伴う起動回数をより少なくすることが可能となり、省電力効果を高めることができる。
【０１６４】
また、前述の説明は本発明の例示にすぎず、その範囲を限定しようとするものではない。本発明の範囲を逸脱することなく種々の改良や変形を行うことができる。
【産業上の利用可能性】
【０１６５】
本発明にかかる放送波受信装置は、受信予約機能を有し、ハードディスクレコーダ、ＢＤレコーダ、ＤＶＤレコーダ、テレビ、テレビチューナ等の組み込み機器向けの省電力技術として有用である。また、組み込み機器に限らず、パーソナルコンピュータ等の用途にも応用できる。
【符号の説明】
【０１６６】
１００    遠隔受信予約システム
１１１    放送波受信装置
１１２    番組情報サーバ
１１３    遠隔操作端末
１１４    ネットワーク
１１５    放送局
１１６    放送波
２００    放送波受信装置
２０４    表示器
２１０    ネットワーク通信器
２１２ａ    ＣＰＵ
２１４    入力インタフェース
２１６    アンテナ
２２７    ＯＳＤ生成器
２３１    チューナ・復調器
２３２    ＴＳデコーダ
２３３    ＭＰＥＧデコーダ
２３４    合成器
２３５    ＲＡＭ
２３６    フラッシュメモリ
２３７    ハードディスク
２３８    光ディスク読み書き装置
２３９    ＩＣカードドライブ
２４０    ユーザ入力器
２５０    デコード装置
２５１    記録装置
３０１    番組情報取得開始指示部
３０２    番組情報取得部
３０３    番組情報記憶部
３０４    番組開始時刻抽出部
３０５    番組開始時刻記憶部
３０６    起動時刻決定部
３０７    起動時刻記憶部
３０８    起動部
５００    番組表
５０１    放送局名
５０２    チャンネル
５０３    番組識別情報
５０４    番組開始時刻
５０５    番組名
５０６    Ｄ放送の１０時台の番組
７００    チャンネル別番組開始時刻リスト
７０１    チャンネル
７０２    番組開始時刻
７０３    番組開始時刻リスト
８０１    番組開始時刻
８０２    起動時刻
９００    受信予約情報
９０１    日付
９０２    受信開始時刻
９０３    受信終了時刻
９０４    チャンネル
１１１１    チャンネル限定部
１１１２    限定番組情報記憶部
１１１３    第２の番組開始時刻抽出部
１３０１    指定されたチャンネルのチャンネル別番組開始時刻リスト
１４１０    第３の番組開始時刻抽出部
１４１１    番組開始時刻削除部
１４１２    第２の起動時刻決定部
１７０２    削除された番組開始時刻
【図１】
2011010166.tif 000003
【図２】
2011010166.tif 000004
【図３】
2011010166.tif 000005
【図４】
2011010166.tif 000006
【図５】
2011010166.tif 000007
【図６】
2011010166.tif 000008
【図７】
2011010166.tif 000009
【図８】
2011010166.tif 000010
【図９】
2011010166.tif 000011
【図１０】
2011010166.tif 000012
【図１１】
2011010166.tif 000013
【図１２】
2011010166.tif 000014
【図１３】
2011010166.tif 000015
【図１４】
2011010166.tif 000016
【図１５】
2011010166.tif 000017
【図１６】
2011010166.tif 000018
【図１７】
2011010166.tif 000019